(57)【要約】 【課題】  基板ボックスを大型化することが可能で、球詰まりの発生がない簡素な構造のパチンコ機の球タンクおよび賞球払出ユニットを提供する。【解決手段】  賞球払出ユニットは、球タンク１と、球タンク１に着脱自在に接続された球払出機構部２とからなる。球タンク１は、箱体３の底面４が一端から他端に向けて球が流下するように低く傾斜され、その下流側端部には４列の球誘導路５が湾曲して設けられている。球誘導路５の入口より上流側の箱体３の底面には、球誘導路５に向けて球を仕分けて流入させる大仕切り板７、小仕切り板８、斜面１１が立設されている。球払出機構部２は、球誘導路５に連通する複数の球払出路２１を有し、球払出路２１には、複数のロータ２５と球計数センサー２６とからなる球払出装置２２が配設されている。【選択図】    図２
2005124619.tif 000002
【特許請求の範囲】
【請求項１】
長方形箱体の底面を長手方向の一端から他端にかけて低く傾斜させて、その下流側端部に、幅が球１個分の球誘導路を複数列湾曲させて設け、この球誘導路により球を一段に均して送出するようにしたことを特徴とするパチンコ機の球タンク。
【請求項２】
球誘導路の底面に、複数の段差部を形成して、前後の球を離間させるようにした請求項１に記載のパチンコ機の球タンク。
【請求項３】
球誘導路の曲がり角で球１個分より上方の側面に、その下部より曲率を小さくして凹部を設けた請求項１または２に記載のパチンコ機の球タンク。
【請求項４】
球誘導路の入口より上流側の箱体の底面に、各々の球誘導路に球を仕分けて流入させる仕切り板を立設し、この仕切り板の上端を、箱体の下流側に向けて高く傾斜させた請求項１〜３の何れかに記載のパチンコ機の球タンク。
【請求項５】
球誘導路の入口より上流側の箱体の底面両サイドに、箱体の下流側に向けて高く傾斜する側部斜面を設けた請求項１〜４の何れかに記載のパチンコ機の球タンク。
【請求項６】
球誘導路の上方を、板状の底面を有するタンク補助部材で覆い、前記底面を、箱体の上流側に向けて低く傾斜させた請求項１〜５の何れかに記載のパチンコ機の球タンク。
【請求項７】
タンク補助部材の裏面に、球列を上方から押圧して一段に均すための球押さえ片を垂設し、この球押さえ片を球誘導路に対応する湾曲状としたうえ、下流側にかけて徐々に長くした請求項６に記載のパチンコ機の球タンク。
【請求項８】
請求項１〜７の何れかに記載の球タンクの下流側端部に、球払出機構部が着脱自在に接続された賞球払出ユニットであって、前記球払出機構部は、球誘導路に連通する球払出路と、球を計数して払い出す球払出装置とからなることを特徴とするパチンコ機の賞球払出ユニット。
【請求項９】
球払出装置は、回転して球を送り出すロータと、球計数装置とからなり、前記ロータは、軸部の両端にロータを備える二個一体型のものであり、前記球計数装置は、二つの球計数装置が所要間隔をおいて配置された二個一体型のものである請求項８に記載のパチンコ機の賞球払出ユニット。
【請求項１０】
球誘導路と球払出路を４列としたうえに、二組の二個一体型ロータの軸部をカップリングして各ロータをそれぞれ球払出路に配設して、一つのモータによって全ロータの駆動を可能とするとともに、二組の二個一体型球計数装置を用いて、各球計数装置をそれぞれの球払出路に配設した請求項９に記載のパチンコ機の賞球払出ユニット。
【請求項１１】
ロータ上方の球払出路から分岐させて球抜き路を設け、該球抜き路の入口に、横方向にスライド可能な球抜き弁を配設した請求項８〜１０の何れかに記載のパチンコ機の賞球払出ユニット。
【発明の詳細な説明】
【技術分野】
【０００１】
本発明は、パチンコ機の裏面に配設される球タンクおよび賞球払出ユニットに関するものである。
【背景技術】
【０００２】
パチンコ機の裏面には、合成樹脂製の機構盤が開閉自在に装着されており、該機構盤のほぼ中央部に開設された窓孔に遊技用の役物が配設されている。機構盤の上部には、例えば特許文献１に示すように、球タンク（上タンク）と、球タンクの底部に連設されたタンクレール（下タンク）とが配設されており、球タンク内の球をタンクレールを介して賞球樋の途中に設けた球払出装置に導くようになっている。
【０００３】
ところが、最近のパチンコ機においては、遊技の内容が複雑、高度化してきており、これに伴って役物も大型化されてきている。しかしながら、上記したように、従来の機構盤には球タンク、タンクレール、賞球樋、球払出装置などの部品が取り付けられているので、役物を大型化するには限界があった。
【０００４】
そこで、このような問題を解決するために、特許文献２には、上面が開口された長方形箱体の長さ方向の底部に一側から反対側に向けて断面凹形状の通路部を傾斜状に設けた球タンクが開示されている。しかしながら、この球タンクは、タンクレールを省略して実質的に球タンクに賞球樋を直結した構造のものであるので、タンク内の球が１ヶ所のタンク出口に集中して大きな玉圧が発生する。また、多列多段となっている球列を賞球樋入口に向けて急激に一列一段に絞り込む必要がある。このような理由により上記球タンクは、球タンク出口と賞球樋入口の間の通路部において球詰まりが発生しやすいという欠陥があった。        
【０００５】
また、上記したように、従来の機構盤において、球払出装置は球誘導路の途中に設けられていたので、誘導路の形状が複雑となり、このため機構盤の全体構造を簡素なものとすることができなかった。
【０００６】
さらに、今日のパチンコ機においては、短時間に大量の球を払い出すことが求められて入るが、従来の球払出装置は、例えば３０００個／分というような高速球払出しを行うことは不可能なものであった。
【特許文献１】特開２００２−３６０８７５号公報  (図２)
【特許文献２】特開平９−４７５５１号公報  (図１０)
【発明の開示】
【発明が解決しようとする課題】
【０００７】
本発明は上記した従来の問題点を解決して、簡素な構造にして役物を大型化することが可能で、球詰まりの発生がなく、しかも高速で球を払い出すことができるパチンコ機の球タンクおよび賞球払出ユニットを提供するためになされたものである。
【課題を解決するための手段】
【０００８】
上記の課題を解決するためになされた本発明のパチンコ機の球タンクは、長方形箱体の底面を長手方向の一端から他端にかけて低く傾斜させて、その下流側端部に、幅が球１個分の球誘導路を複数列湾曲させて設け、この球誘導路により球を一段に均して送出するようにしたことを特徴とするものである。
【０００９】
なお、球誘導路の底面に、複数の段差部を形成して、前後の球を離間させることができ、球誘導路の曲がり角で球１個分より上方の側面に、その下部より曲率を小さくして凹部をることができ、球誘導路の入口より上流側の箱体の底面に、各々の球誘導路に球を仕分けて流入させる仕切り板を立設し、この仕切り板の上端を、箱体の下流側に向けて高く傾斜させることができ、また、球誘導路の入口より上流側の箱体の底面両サイドに、箱体の下流側に向けて高く傾斜する側部斜面を設けることができる。さらに、球誘導路の上方を、板状の底面を有するタンク補助部材で覆い、前記底面を、箱体の上流側に向けて低く傾斜させることができ、このタンク補助部材の裏面に、球列を上方から押圧して一段に均すための球押さえ片を垂設し、この球押さえ片を球誘導路に対応する湾曲状としたうえ、下流側にかけて徐々に長くすることができる。
【００１０】
また、本発明のパチンコ機の賞球払出ユニットは、上記したような球タンクの下流側端部に、球払出機構部が着脱自在に接続された賞球払出ユニットであって、前記球払出機構部は、球誘導路に連通する球払出路と、球を計数して払い出す球払出装置とからなることを特徴とするものである。なお、球払出装置は、回転して球を送り出すロータと、球計数装置とからなり、前記ロータを、軸部の両端にロータを備える二個一体型のものとし、前記球計数装置を、二つの球計数装置が所要間隔をおいて配置された二個一体型のものとすることができる。さらに、球誘導路と球払出路を４列としたうえに、二組の二個一体型ロータの軸部をカップリングして各ロータをそれぞれ球払出路に配設して、一つのモータによって全ロータの駆動を可能とするとともに、二組の二個一体型球計数装置を用いて、各係数装置をそれぞれの球払出路に配設することができる。また、ロータ上方の球払出路から分岐させて球抜き路を設け、該球抜き路の入口に、横方向にスライド可能な球抜き弁を配設することができる。
【発明の効果】
【００１１】
本発明のパチンコ機の球タンクは、長方形箱体の下流側端部に、幅が球１個分の球誘導路を湾曲させて複数列設けたので、球を一段に均して送出することができ、よって、従来のような球整列用のタンクレールが不要となって、役物取り付け用のスペースを広くすることができる。そして、球誘導路の底面に、複数の段差部を形成したので、前後の球を離間させて、玉均しを容易にすることができ、さらに、球誘導路の曲がり角で球１個分より上方の側面に、その下部より曲率を小さくして凹部を設けたので、この凹部によって２段目以上の球の流下を遅らせることができる。また、球誘導路の入口より上流側の箱体の底面に、仕切り板を立設し、この仕切り板の上端を、箱体の下流側に向けて高く傾斜させることによって、各々の球誘導路に球を仕分けて流入させるができ、また、球誘導路の入口より上流の箱体の底面の両サイドに、箱体の下流側に向けて高く傾斜する斜面を設けたので、玉の流下を円滑にすることができる。
【００１２】
また、球誘導路の上方を、タンク補助部材の板状の底面で覆い、その底面を上流側に向けて低く傾斜させることによって、タンク補助部材に球を収容することができる。さらに、タンク補助部材の裏面に球押さえ片を垂設し、この球押さえ片を球誘導路に対応する湾曲状としたうえ、下流側に向けて徐々に長くしたので、多段の球列を上方から押圧して一段に均すことができる。
【００１３】
また、本発明の賞球払出ユニットは、球タンクの下流側端部に、球払出路と球払出装置とからなる球払出機構部が着脱自在に接続されたものであるので、全体構造を簡素なものとすることができる。上記球払出装置は、回転して球を送り出すロータと、球計数装置とからなるものとして、前記ロータを二個一体型のものとし、また、前記球計数装置を二個一体型のものとしたので、組み立てが極めて容易である。そして、球誘導路と球払出路を４列としたうえに、二組の二個一体型ロータの軸部をカップリングして各ロータをそれぞれ球払出路に配設したので、一つのモータによって全ロータを駆動させて高速で球を払い出すことができる。また、二組の二個一体型球計数装置を用いて、各球計数装置をそれぞれの球払出路に配設したので、高速で払い出される球を確実に計数することができる。また、ロータ上方の球払出路から分岐させて球抜き路を設け、該球抜き路の入口に、横方向にスライド可能な球抜き弁を配設したので、球抜き操作を確実に行うことができる。
【発明を実施するための最良の形態】
【００１４】
以下に図面を参照しつつ本発明の好ましい実施形態を説明する。図１〜４に本発明の賞球払出ユニットを示すが、この賞球払出ユニットは、球タンク１と、球タンク１に着脱自在に接続された球払出機構部２とからなる。
【００１５】
球タンク１は、外形が略長方形状の箱体３であって、この箱体３の底面４は一端から他端に向けて球が流下するように低く傾斜されている。そして、その下流側端部には４列の球誘導路５が湾曲して設けられている。この球誘導路５の底面には、複数の段差部６が形成されていて、湾曲による抵抗と段差部６による加速により前後の球をばらけさすようになっている。また、球誘導路５の曲がり角には、球１個分より上方の側面に曲率をやや小さくした凹部５ａが設けてあって、２段目以上の球の流下を遅らせて球を均すようにもなっている。
【００１６】
そして、球誘導路５の入口より上流側の箱体３の底面４には、それぞれの入口に向けて球を仕分けて流入させる小仕切り板７と大仕切り板８が立設され、これらの仕切り板７、８の上端は、下流側に向けて上昇させて箱体底面４に対して逆傾斜するものしてあるので、球を単列にして仕分けて球誘導路５の入口に案内することができる。なお、中央の大仕切り板８は、球タンク１内の球の流れを左右に大きく２分割するためのものであって、上端には左右に向けて傾斜が設けられている。また、球誘導路５の入口より上流の箱体３の底面４の両サイドには、箱体底面４に対して逆傾斜させた側部斜面１１が設けてあって、球の誘導を容易としてある。
【００１７】
さらに、球誘導路５の上方には、箱体底面４に対して逆傾斜する板状の底面１２を有するタンク補助部材１３が着脱自在に当接されており、球誘導路５の上部を覆って、玉の上方からの流入を遮断している。タンク補助部材１３は、球タンク１内の球が大量になった時に、その底面１２に球を収容することができる。そして、タンク補助部材１３の裏面には、図５に示す球押さえ片１４が球誘導路５に対応して湾曲して垂設されている。この球抑え片１４は下流側にかけて徐々に長く形成して、球誘導路５の高さを徐々に低くしてあるので、球列の上側を押圧して球を徐々に一段に均すことができる。
【００１８】
球払出機構部２は、上記した球タンク１の下流側端部に着脱自在に接続されるものであって、図２、３に示すように、球誘導路５に連通する複数の球払出路２１を有し、球払出路２１には球払出装置２２が配設されている。球払出装置２２を図６、７に示すが、モータＭによりギア２３、２４を介して回転される４つのロータ２５と、４つの球計数センサー２６とからなる。ロータ２５は球受け用の凹部２７を有し、軸部の両端に二個のロータ２５が一体に形成されたものであって、二組がカップリングにより接続されている。したがって、１個のモータＭにより全ロータを駆動させて、高速かつ多か精度に球を払い出すことができる。また、球計数センサー２６も二個一体型のものであって、これがロータ２５に対応して配置されているので、ロータ２５が高速で払い出す球を確実に計数することができる。また、ロータ２５を球タンク１に近づけて配置したので、ロータ２５にかかる球圧を小さくすることができ、よって、小型のモータＭを用いることができる。
【００１９】
なお、球払出路２１には、ロータ２５の上方から分岐する球抜き路２８が設けられており、この球抜き路２８は、その入口が球抜き弁２９によって通常は閉鎖されている。球抜き弁２９は、図８、９に示すような形状のものであって、Ｕ字型のたわみ部３０の上部に作動摘み部３１、ストッパー３２を有し、下端には球抜き路２８の入口を塞ぐ弁部３３が４箇所突設されている。この球抜き弁２９は、球払出機構部２の支持部３５に摺動可能に装着されている。
【００２０】
図１０に、球払出機構部２の垂直断面を示すが、弁部３３が突出して球抜き路２８の入口を閉鎖している。したがって、通常は球は球払出路２１に流れる。そして、必要が生じて球を抜く場合には、図１１に示すように、作動摘み部３１を横に押圧して球抜き弁２９をスライドさせれば、弁部３３が側壁内などに退却して球抜き路２８の入口を開放するので、球が球抜き路２８に流れ込むこととなって球を抜くことができる。球抜き弁２９は、前記したように支持部３５に装着されているので、球を確実に球払出路２１または球抜き路８に誘導することができる。また、球抜き弁２９は、一体成形により形成されているので、コストダウンと精度向上を図ることができる。
【００２１】
本発明の球タンクは、上記したような構成としたので、球詰まりを引き起こすことなく球を一段に均すことができる。よって、従来のような球整列用のタンクレールが不要となって、役物取り付け用のスペースを広くすることができる。そして、この球タンクの端部に、球払出路と球払出装置とからなる球払出機構部を接続したので、賞球払出ユニットの全体構造を簡素なものとすることができる。
【図面の簡単な説明】
【００２２】
【図１】本発明にかかる賞球払出ユニットの斜視図である。
【図２】賞球払出ユニットの正面の断面図である。
【図３】賞球払出ユニットの平面図である。
【図４】球タンクの要部を示す斜視図である。
【図５】タンク補助部材の斜視図である。
【図６】球払出装置の斜視図である。
【図７】球払出装置の平面図である。
【図８】球抜き弁の前面を示す斜視図である。
【図９】球抜き弁の後面を示す斜視図である。
【図１０】球抜き路入口が閉鎖された球払出機構部の垂直断面図である。
【図１１】球抜き路入口が開放された球払出機構部の垂直断面図である。
【符号の説明】
【００２３】
１  球タンク
２  球払出機構部
３  箱体
４  箱体の底面
５  球誘導路
７  小仕切り板
８  大仕切り板
１１  側部斜面
２１  球払出路
２２  球払出装置
２５  ロータ
２６  球計数センサー
【図１】
2005124619.tif 000003
【図２】
2005124619.tif 000004
【図３】
2005124619.tif 000005
【図４】
2005124619.tif 000006
【図５】
2005124619.tif 000007
【図６】
2005124619.tif 000008
【図７】
2005124619.tif 000009
【図８】
2005124619.tif 000010
【図９】
2005124619.tif 000011
【図１０】
2005124619.tif 000012
【図１１】
2005124619.tif 000013